(57)【要約】【課題】インターネット等の通信網経由で撮影画像ファイルを転送する場合に限り、撮影画像ファイルに含まれる、画像情報以外の付加情報を自動削除し、必要最小限の画像情報のみを有する画像ファイルを転送する事で、撮影情報、個人情報の流出を防止する事を目的とする。【解決手段】デジタルカメラに求められる付加機能として、インターネット等の通信網への安全かつ容易な接続がある。撮影画像ファイルには、付加情報として、メールアドレス等の個人情報を追加する事が予想される。デジタルカメラを不特定多数のユーザーが存在する通信網に接続する場合、画像ファイルと共に、ファイルに含まれる個人情報も流出してしまう事が予想される。必要以上の情報流出を未然に防止するために、通信網経由のファイル転送時、付加情報を自動的に削除する。【選択図】        図１
2004343627.tif 000002
【特許請求の範囲】
【請求項１】
撮像装置と、撮像装置により得られる画像データの画像処理を行う画像処理装置と、撮影画像を保存する記憶媒体と、ユーザーが各種設定を行うユーザーインターフェース装置と、ネットワークへの接続を制御するネットワーク制御装置とを有するデジタルカメラにおいて、デジタルカメラが有する記憶媒体に保存されている撮影画像を、ネットワーク経由で転送する際に、撮影画像に付加されている付加情報を削除し、転送する事を特徴とするデジタルカメラ。
【請求項２】
請求項１のデジタルカメラにおいて、削除する付加情報を選択設定し、選択された付加情報のみを削除した後、転送を開始する事を特徴とするデジタルカメラ。
【請求項３】
請求項１のデジタルカメラにおいて、デジタルカメラに登録された相手に対して撮影画像の転送を行う際、撮影画像に含まれる付加情報を削除しない事を特徴とするデジタルカメラ。
【請求項４】
請求項２のデジタルカメラにおいて、デジタルカメラに登録された相手に対して撮影画像の転送を行う際、撮影画像に含まれる付加情報を削除しない事を特徴とするデジタルカメラ。
【請求項５】
請求項１のデジタルカメラにおいて、削除する付加情報とは、撮影に使用されたデジタルカメラのメーカー名である事を特徴とするデジタルカメラ。
【請求項６】
請求項１のデジタルカメラにおいて、削除する付加情報とは、撮影に使用されたデジタルカメラの機種名である事を特徴とするデジタルカメラ。
【請求項７】
請求項１のデジタルカメラにおいて、削除する付加情報とは、シャッタースピード等の撮影情報である事を特徴とするデジタルカメラ。
【請求項８】
請求項１のデジタルカメラにおいて、削除する付加情報とは、撮影日時情報である事を特徴とするデジタルカメラ。
【請求項９】
請求項１のデジタルカメラにおいて、削除する付加情報とは、撮影位置情報である事を特徴とするデジタルカメラ。
【請求項１０】
請求項１のデジタルカメラにおいて、削除する付加情報とは、撮影時に録音された音声情報である事を特徴とするデジタルカメラ。
【請求項１１】
請求項１のデジタルカメラにおいて、削除する付加情報とは、撮影時にユーザーにより入力されたユーザーコメント情報である事を特徴とするデジタルカメラ。
【請求項１２】
請求項１のデジタルカメラにおいて、削除する付加情報とは、氏名、団体名、住所、メールアドレス等の個人及び団体を特定可能な情報である事を特徴とするデジタルカメラ。
【請求項１３】
請求項１のデジタルカメラにおいて、削除する付加情報とは、ＵＲＬ、ＩＰアドレス、ＭＡＣアドレス等の特定のサーバーを認識可能な情報である事を特徴とするデジタルカメラ。
【請求項１４】
請求項１のデジタルカメラにおいて、削除する付加情報とは、データの暗号化に用いられるパスワード等のセキュリティ情報である事を
特徴とするデジタルカメラ。
【発明の詳細な説明】
【０００１】
【発明の属する技術分野】
本発明は、ネットワークに接続されたデジタルカメラから、撮影画像ファイルを転送（ダウンロード／アップロード）する際に、撮影画像ファイルに自動付加される画像情報以外の付加情報、（例えば、Ｅｘｉｆ等で規定されている様な、メーカー名、機種名、シャッター速度等の撮影情報、撮影日時等）をネットワークへ転送する直前で削除した後、転送を開始する事で、撮影画像情報以外の情報流出を未然に防止するものである。
【０００２】
【従来の技術】
現在、多くのデジタルカメラで撮影された撮影画像ファイルは、ＪＥＩＤＡで仕様策定されたＥｘｉｆ形式で保存されている。このＥｘｉｆ形式で保存された撮影画像ファイルには、撮影画像以外の付加情報が多く含まれている。これらの付加情報は、撮影時にデジタルカメラにより自動的に付加されるものであり、ユーザーが意識的に管理しなくてもよい便利な機能となっている。
【０００３】
これらの事は、特開平０８−３１５１０６（デジタルカメラ及び画像データ流通システム）等で、撮影者の識別記号や、撮影位置情報、撮影条件、撮影日時、タイトル、メモ等の各種情報を撮影画像データと共に記憶する事が提案され、またこれらの画像情報を、ネットワークを通じ画像データベース等に転送する事が提案されている。
【０００４】
【発明が解決しようとする課題】
今後、デジタルカメラの普及に伴い、より付加価値の高いデジタルカメラが求められる。その付加価値の一つが、インターネット等の通信網への安全かつ容易な接続である。
【０００５】
従来の撮影画像ファイルに付加されている、撮影情報等の付加情報に加えて、メールアドレス、氏名、住所等の個人情報を、さらなる付加情報として撮影画像に付加する事で、デジタルカメラを直接インターネット等の通信網へ接続した際に、デジタルカメラで撮影された撮影画像ファイルを、ＰＣ等を介さず、画像ファイルに含まれるメールアドレス等の個人情報をもとに、特定の個人（特定のアドレス、特定の場所）へ容易に転送（ダウンロード／アップロード）する事が可能になる。
【０００６】
しかし、不特定多数のユーザーが利用するインターネット等の通信網にデジタルカメラを接続した場合、悪意あるユーザーにより、デジタルカメラ内の撮影画像ファイルを無許可でダウンロードされた場合、撮影画像ファイルに付加されている撮影情報、個人情報等の付加情報も含めて流出する事になり、これらの情報をもとに悪用される恐れが発生する。
【０００７】
そこで本発明では、インターネット等の通信網経由で撮影画像ファイルを転送する場合に限り、撮影画像ファイルに含まれる、画像情報以外の付加情報を自動削除し、必要最小限の画像情報のみを有する画像ファイルを転送する事で、撮影情報、個人情報の流出を防止する事を目的とする。
【０００８】
【課題を解決するための手段】
本発明に係るデジタルカメラにおいては、第１に、撮像装置と、撮像装置により得られる画像データを、圧縮伸長処理を行う画像処理装置と、撮影画像を保存する記憶媒体と、ユーザーが各種設定を行うユーザーインターフェース装置と、ネットワークへの接続を制御するネットワーク制御装置とを有するデジタルカメラにおいて、デジタルカメラが有する記憶媒体に保存されている撮影画像を、ネットワーク経由で転送する際に、撮影画像と共に付加されている付加情報を削除した後、転送を開始する事を特徴とするデジタルカメラ。
【０００９】
第２に、請求項１のデジタルカメラにおいて、削除する付加情報を選択設定し、選択された付加情報のみを削除した後、転送を開始する事を特徴とするデジタルカメラ。
【００１０】
第３に、請求項１のデジタルカメラにおいて、デジタルカメラに登録された相手に対して撮影画像の転送を行う際、撮影画像に含まれる付加情報を削除しない事を特徴とするデジタルカメラ。
【００１１】
第４に、請求項２のデジタルカメラにおいて、デジタルカメラに登録された相手に対して撮影画像の転送を行う際、撮影画像に含まれる付加情報を削除しない事を特徴とするデジタルカメラ。
【００１２】
第５に、請求項１のデジタルカメラにおいて、削除する付加情報とは、撮影に使用されたデジタルカメラのメーカー名である事を特徴とするデジタルカメラ。
【００１３】
第６に、請求項１のデジタルカメラにおいて、削除する付加情報とは、撮影に使用されたデジタルカメラの機種名である事を特徴とするデジタルカメラ。
【００１４】
第７に、請求項１のデジタルカメラにおいて、削除する付加情報とは、シャッタースピード等の撮影情報である事を特徴とするデジタルカメラ。
【００１５】
第８に、請求項１のデジタルカメラにおいて、削除する付加情報とは、撮影日時情報である事を特徴とするデジタルカメラ。
【００１６】
第９に、請求項１のデジタルカメラにおいて、削除する付加情報とは、撮影位置情報である事を特徴とするデジタルカメラ。
【００１７】
第１０に、請求項１のデジタルカメラにおいて、削除する付加情報とは、撮影時に録音された音声情報である事を特徴とするデジタルカメラ。
【００１８】
第１１に、請求項１のデジタルカメラにおいて、削除する付加情報とは、撮影時にユーザーにより入力されたユーザーコメント情報である事を特徴とするデジタルカメラ。
【００１９】
第１２に、請求項１のデジタルカメラにおいて、削除する付加情報とは、氏名、団体名、住所、メールアドレス等の個人及び団体を特定可能な情報である事を特徴とするデジタルカメラ。
【００２０】
第１３に、請求項１のデジタルカメラにおいて、削除する付加情報とは、ＵＲＬ、ＩＰアドレス、ＭＡＣアドレス等の特定のサーバーを認識可能な情報である事を特徴とするデジタルカメラ。
【００２１】
第１４に、請求項１のデジタルカメラにおいて、削除する付加情報とは、データの暗号化に用いられるパスワード等のセキュリティ情報である事を特徴とするデジタルカメラ。
【００２２】
【発明の実施の形態】
本発明の実施例の構成を示すデジタルカメラシステムの一例を図１に示す。
【００２３】
図１において、１０は、デジタルカメラが有する、撮像装置である。
【００２４】
撮像装置は、レンズ、ＣＣＤ、制御装置等から構成され、撮影機能を有している。ユーザーがユーザーインターフェース装置を用い撮影行為が実施されると、撮像装置により、ユーザーの所望の画角における画像データを取り込む。
【００２５】
１１は、デジタルカメラが有する、画像処理装置である。
【００２６】
画像処理装置では、撮像装置により得られた画像データの圧縮処理等を行い、記憶媒体（１３）に撮影画像ファイル（ＪＰＥＧファイル等）を保存する。逆に、記憶媒体に保存されている撮影画像ファイルを伸長し、デジタルカメラが有する液晶パネル等に表示を行う。
【００２７】
１２は、デジタルカメラが有する、画像処理用メモリーである。
【００２８】
画像処理用メモリーは、ＳＤＲＡＭ、ＤＤＲ等で構成され、撮像装置で得られた画像データを、画像処理装置にて画像処理を行う際に利用される。
【００２９】
１３は、デジタルカメラが有する、記憶媒体である。
【００３０】
記憶媒体は、デジタルカメラに脱着可能なメモリー（ＣＦカード、ＳＤカード等）で構成される。記憶媒体に保存される撮影画像ファイルには、画像データの他に、撮影情報等の付加情報も含まれている。
【００３１】
ここでは、記憶媒体を脱着可能な物として説明を行うが、デジタルカメラに内蔵され、脱着不可能なメモリーであっても特に問題はない。
【００３２】
１４は、デジタルカメラが有する、ユーザーインターフェース装置である。ユーザーインターフェース装置は、電子ファインダー（ＥＶＦ）や、ＬＥＤ、シャッターボタン等の各種設定ボタンで構成される。ユーザーは、これらのユーザーインターフェース装置を用いて、付加情報の削除設定や付加情報を削除しない転送先設定、デジタルカメラの各種設定、撮影、再生等を行う。
【００３３】
１５は、デジタルカメラが有する、ネットワーク制御装置である。
ネットワーク制御装置は、デジタルカメラをインターネット等の通信網への接続、通信に利用される。デジタルカメラには、ＩＰアドレス等、個体識別可能なアドレスが割り当てられており、このアドレスを用いて、インターネット等の通信網に接続する事が可能である。接続する方法に限定はなく、Ｅｔｈｅｒｎｅｔ（登録商標）等の有線ＬＡＮを用いても、ＩＥＥＥ８０２．１１で規格されているような無線ＬＡＮにより接続しても問題はない。
【００３４】
また、ネットワーク制御装置では、デジタルカメラが有し、記憶媒体に保存されている撮影画像を、インターネット等の通信網を用いて転送（ダウンロード／アップロード）する際に、撮影時に自動的に付加されるメーカー名、機種名、個人情報等の付加情報を、設定に基づき削除する機能を有する。
【００３５】
１６は、デジタルカメラが有する、ネットワーク制御装置用メモリーである。
【００３６】
ネットワーク制御装置用メモリーは、ネットワーク経由で撮影画像を転送する際に、ネットワーク制御装置により撮影画像に含まれる付加情報を削除する際に、一時的に記憶媒体から撮影画像を読み込み付加情報を削除する際に使用される。
【００３７】
本件では画像処理用メモリー（１２）とネットワーク制御装置用メモリー（１６）を区別し、異なる用途で使用するメモリーとして説明を行うが、これに限定する事無く、デジタルカメラのシステム構成によっては、画像処理用メモリー（１２）とネットワーク制御装置用メモリー（１６）は同一の物であっても良い。
【００３８】
１７は、デジタルカメラを接続する、インターネット等の通信網である。
【００３９】
ここでは、インターネットを例にあげ説明を行うが、これに限定はなく、撮影画像データを転送可能な環境であれば特に限定はない。また、ネットワークに接続する方法は、Ｅｔｈｅｒｎｅｔ（登録商標）等の有線ＬＡＮを用いて接続しても、ＩＥＥＥ８０２．１１で規格されているような無線ＬＡＮにより接続しても良く、通信網に接続可能な方法であれば特に限定はない。この通信網は、ユーザーに個別のＩＰアドレス等を割り当てる事により、個々の接続機器は識別され、通信網を利用する事ができる。
【００４０】
１８、１９、２０は、デジタルカメラが接続されるインターネット等の通信網に接続される、ＰＣ等である。これらのＰＣ等は、不特定多数のユーザーにより通信網を用いて接続され、個々にＩＰアドレス等を割り当てられる事により、インターネット等の通信網を利用し、データの授受等を容易に可能とする。
【００４１】
以下、図１、図２、図３、及び図４を参照して、第１の実施例の動作を説明する。
【００４２】
図４に第１の実施例の基本的なフローの一例を示す。
【００４３】
（Ｓ４０１）は、デジタルカメラが起動しており、インターネット等の通信網に接続され、いつでも通信が開始可能な状態である。この時のデジタルカメラの動作モードは、自身が有する複数の動作モード（撮影、再生、通信等）の内、インターネット等の通信網への接続が可能な動作モードであれば特に限定はない。
【００４４】
（Ｓ４０２）では、デジタルカメラが有する撮影画像ファイルを、インターネット等の通信網を用いた転送（ダウンロード／アップロード）要求の発生を検出する。
【００４５】
撮影画像ファイルの転送要求の発生は、２通り考えられる。
【００４６】
１つは、デジタルカメラ自身が、インターネット等の通信網を利用して、特定のアドレス（ＩＰアドレス、メールアドレス、ＵＲＬ等）へ、撮影画像ファイルを転送する場合。もう一つは、図１の１８、１９、２０に示すような、ネットワークに接続されたＰＣ等の外部機器から、デジタルカメラに向けて、画像ファイルの転送要求が発生した場合である。
【００４７】
本実施例に関しては、（Ｓ４０２）で行う撮影画像ファイルの転送要求の発生源は、先にあげた２つの転送要求のどちらでも良く、また、画像ファイルの転送元、及び転送先に転送要求発生源が含まれていなくても良く、デジタルカメラが有する撮影画像ファイルをインターネット等の通信網を用いて転送する要求であれば、要求の発生源は特に限定は無い。
【００４８】
ネットワーク制御装置（１５）にて、デジタルカメラが有する撮影画像ファイルの転送要求を検知すると、（Ｓ４０３）に移行する。
【００４９】
従来、ネットワーク経由で撮影画像ファイルを転送（ダウンロード／アップロード）する際、図３に示すように、転送する撮影画像ファイルには、撮影画像データ本体以外にも、メーカー名、機種名、撮影情報、撮影日時、及び個人情報が含まれており、転送を行う際には、これらの付加情報も含めて転送を行う。これらの付加情報をインターネット等の通信網を用いて転送する事は、必要以上の情報を、不特定多数のユーザーが存在する通信網に流出させる事につながり、セキュリティ上問題が発生する恐れがある。
【００５０】
この様な、情報流出を必要最小限に押さえるために、撮影画像ファイルに含まれる、付加情報を削除した、転送用撮影画像ファイルの作成を行う。
【００５１】
（Ｓ４０３）では、記憶媒体（１３）にて保存されている撮影画像の中から、（Ｓ４０２）にて転送要求が発生した撮影画像ファイルを、撮影時に付加された付加情報を削除すべく、自身が有する記憶媒体（１３）から読み出し、ネットワーク制御装置用メモリー（１６）上に撮影画像ファイルの複製を行い、転送用画像ファイルの作成を開始する（Ｓ４０４）。
【００５２】
（Ｓ４０５）では、転送要求が発生した撮影画像に含まれる、画像情報以外の付加情報の削除を行う。ここで行う処理を以下に説明する。
【００５３】
デジタルカメラで撮影された撮影画像ファイルの多くは、Ｅｘｉｆ形式で保存され基本的にＪＰＥＧ画像形式と同等のファイル区切り子（以後マーカーと称す）を用いており、画像ファイルの先頭、及び最後のマーカーは、必ず０ｘＦＦＤ８、及び０ｘＦＦＤ９と記述されている。
【００５４】
また、Ｅｘｉｆ形式を用いた画像ファイルは、以下に示すような、タグ番号が複数割り振られており、撮影画像データ以外に様々な付加情報を追加する事が可能になっている。代表的なタグの例を以下に示す。
【外１】
2004343627.tif 000003
【００５５】
ネットワーク制御装置（１５）では、ネットワーク制御装置用メモリー（１６）上の画像ファイル中に付加れている、上記タグで管理される付加情報のうち、画像再生に必要な情報を残し、メーカー名、機種名等の不要な情報を削除した、転送用画像ファイルを新規に作成する。
【００５６】
（Ｓ４０５）にて必要最小限の情報を残し、不要な付加情報を削除した転送用画像ファイルの作成が完了すると、図２で示すように、インターネット等の通信網へ、画像情報のみとした転送用画像ファイルの転送（ダウンロード／アップロード）を開始する（Ｓ４０６）。
【００５７】
（Ｓ４０６）の撮影画像の転送が終了すると、（Ｓ４０７）に移行し、処理を終了する。
【００５８】
本実施例では、撮影画像ファイルの保存方式をＥｘｉｆ形式として説明を行ったが、これに限定する事はなく、ＤＣＦ（Ｄｅｓｉｇｎ  ｒｕｌｅ  ｆｏｒ  Ｃａｍｅｒａ  Ｆｉｌｅ  ｓｙｓｔｅｍ）等の、画像データに付加情報を加えて画像ファイルとするファイル保存方式であれば、特に限定はない。
【００５９】
以下、図１、図２、図３、図５、図６、及び図７を参照して、第２の実施例の動作を説明する。
【００６０】
図５に第２の実施例の基本的なフローの一例を示す。
【００６１】
（Ｓ５０１）は、デジタルカメラが起動しており、インターネット等の通信網に接続され、いつでも通信が開始可能な状態である。この時のデジタルカメラの動作モードは、自身が有する複数の動作モード（撮影、再生、通信等）の内、インターネット等の通信網への接続が可能な動作モードであれば特に限定はない。
【００６２】
（Ｓ５０２）では、デジタルカメラが有する撮影画像ファイルを、インターネット等の通信網を用いた転送（ダウンロード／アップロード）要求の発生を検出する。
【００６３】
撮影画像ファイルの転送要求の発生は、２通り考えられる。
【００６４】
１つは、デジタルカメラ自身が、インターネット等の通信網を利用して、特定のアドレス（ＩＰアドレス、メールアドレス、ＵＲＬ等）へ、撮影画像ファイルを転送する場合。もう一つは、図１の１８、１９、２０に示すような、ネットワークに接続されたＰＣ等の外部機器から、デジタルカメラに向けて、画像ファイルの転送要求が発生した場合である。
【００６５】
本実施例に関しては、（Ｓ５０２）で行う撮影画像ファイルの転送要求の発生源は、先にあげた２つの転送要求のどちらでも良く、また、画像ファイルの転送元、及び転送先に転送要求発生源が含まれていなくても良く、デジタルカメラが有する撮影画像ファイルをインターネット等の通信網を用いて転送する要求であれば、要求の発生源は特に限定は無い。
【００６６】
ネットワーク制御装置（１５）にて、デジタルカメラが有する撮影画像ファイルの転送要求を検知すると、（Ｓ５０３）に移行する。
【００６７】
従来、ネットワーク経由で撮影画像ファイルを転送（ダウンロード／アップロード）する際、図３に示すように、転送する撮影画像ファイルには、撮影画像データ本体以外にも、メーカー名、機種名、撮影情報、撮影日時、及び個人情報が含まれており、転送を行う際には、これらの付加情報も含めて転送を行う。これらの付加情報をインターネット等の通信網を用いて転送する事は、必要以上の情報を、不特定多数のユーザーが存在する通信網に流出させる事につながり、セキュリティ上問題が発生する恐れがある。
【００６８】
この様な、情報流出を必要最小限に押さえるために、撮影画像ファイルに含まれる、付加情報を一部削除した、転送用撮影画像ファイルの作成を行う。
【００６９】
（Ｓ５０３）では、記憶媒体（１３）にて保存されている撮影画像の中から、（Ｓ５０２）にて転送要求が発生した撮影画像ファイルを、撮影時に付加された付加情報を一部削除すべく、自身が有する記憶媒体（１３）から読み出し、ネットワーク制御装置用メモリー（１６）上に撮影画像ファイルの複製を行い、転送用画像ファイルの作成を開始する（Ｓ５０４）。
【００７０】
（Ｓ５０５）では、記憶媒体（１３）に保存されている撮影画像ファイルの中から、転送要求が発生した画像ファイルについて、転送用画像ファイルを作成する上で、付加情報を削除するか否かの選択をユーザーに対して行う。
【００７１】
デジタルカメラは自身が有するユーザーインターフェース装置（液晶パネル等）に削除可能な付加情報を、図６に示すように、リストアップして表示し、ユーザーは表示された削除項目に対し、削除か否かの選択を、ユーザーインターフェース装置（設定ボタン等）を用いて決定する。
【００７２】
（Ｓ５０５）にて、すべての項目に対して、「付加情報を削除しない」事が選択された場合、ネットワーク制御装置用メモリー（１６）上の撮影画像ファイルに手を加える事無く、（Ｓ５０７）に移行し転送を開始する。
【００７３】
（Ｓ５０５）にて、転送要求が発生した撮影画像ファイルに含まれる付加情報の内、ユーザーにより特定の付加情報を削除する事が選択されると、（Ｓ５０６）に移行し、選択された付加情報をのみ削除する（Ｓ５０６）。
【００７４】
（Ｓ５０６）で行う処理を以下に説明する。
【００７５】
デジタルカメラで撮影された撮影画像ファイルの多くは、Ｅｘｉｆ形式で保存され基本的にＪＰＥＧ画像形式と同等のファイル区切り子（以後マーカーと称す）を用いており、画像ファイルの先頭、及び最後のマーカーは、必ず０ｘＦＦＤ８、及び０ｘＦＦＤ９と記述されている。
【００７６】
また、Ｅｘｉｆ形式を用いた画像ファイルは、以下に示すような、タグ番号が複数割り振られており、撮影画像データ以外に様々な付加情報を追加する事が可能になっている。代表的なタグの例を以下に示す。
【外２】
2004343627.tif 000004
【００７７】
ネットワーク制御装置（１５）では、ネットワーク制御装置用メモリー（１６）上の画像ファイル中に保存されている、上記タグで管理される付加情報のうち、（Ｓ５０５）で選択された、削除すべき付加情報に関する情報をのみを削除し、転送用画像ファイルを新規に作成する。
【００７８】
（Ｓ５０６）にてユーザーに選択決定された削除項目に従い、付加データの削除を実行し、ユーザー所望の転送用画像ファイルの作成が完了すると、図７で示すように、インターネット等の通信網へ、「画像データ」＋「ユーザー所望の付加情報」で構成される転送用画像ファイルの転送（ダウンロード／アップロード）を開始する（Ｓ５０７）。
【００７９】
（Ｓ５０７）の撮影画像の転送が終了すると、（Ｓ５０８）に移行し、処理を終了する。
【００８０】
本実施例では、撮影画像ファイルの保存方式をＥｘｉｆ形式として説明を行ったが、これに限定する事はなく、ＤＣＦ（Ｄｅｓｉｇｎ  ｒｕｌｅ  ｆｏｒ  Ｃａｍｅｒａ  Ｆｉｌｅ  ｓｙｓｔｅｍ）等の、画像データに付加情報を加えて画像ファイルとするファイル保存方式であれば、特に限定はない。
【００８１】
本実施例の中で、撮影画像ファイルに含まれる付加情報の削除項目の設定（図６）は、画像ファイルの転送毎に行うように説明を行ったが、これに限定する事無く、あらかじめユーザーに図６に示す様な削除項目設定画面を用いて選択設定の後、転送要求発生時に削除項目の設定内容を参照し、付加情報を削除する方法であっても問題ない。
【００８２】
以下、図１、図２、図３、図５、図８、及び図９を参照して、第３の実施例の動作を説明する。
【００８３】
図５に第３の実施例の基本的なフローの一例を示す。
【００８４】
（Ｓ５０１）は、デジタルカメラが起動しており、インターネット等の通信網に接続され、いつでも通信が開始可能な状態である。この時のデジタルカメラの動作モードは、自身が有する複数の動作モード（撮影、再生、通信等）の内、インターネット等の通信網への接続が可能な動作モードであれば特に限定はない。
【００８５】
（Ｓ５０２）では、デジタルカメラが有する撮影画像ファイルを、インターネット等の通信網を用いた転送（ダウンロード／アップロード）要求の発生を検出する。
【００８６】
撮影画像ファイルの転送要求の発生は、２通り考えられる。
【００８７】
１つは、デジタルカメラ自身が、インターネット等の通信網を利用して、特定のアドレス（ＩＰアドレス、メールアドレス、ＵＲＬ等）へ、撮影画像ファイルを転送する場合。もう一つは、図１の１８、１９、２０に示すような、ネットワークに接続されたＰＣ等の外部機器から、デジタルカメラに向けて、画像ファイルの転送要求が発生した場合である。
【００８８】
本実施例に関しては、（Ｓ５０２）で行う撮影画像ファイルの転送要求の発生源は、先にあげた２つの転送要求のどちらでも良く、また、画像ファイルの転送元、及び転送先に転送要求発生源が含まれていなくても良く、デジタルカメラが有する撮影画像ファイルをインターネット等の通信網を用いて転送する要求であれば、要求の発生源は特に限定は無い。
【００８９】
ネットワーク制御装置（１５）にて、デジタルカメラが有する撮影画像ファイルの転送要求を検知すると、（Ｓ５０３）に移行する。
【００９０】
従来、ネットワーク経由で撮影画像ファイルを転送（ダウンロード／アップロード）する際、図３に示すように、転送する撮影画像ファイルには、撮影画像データ本体以外にも、メーカー名、機種名、撮影情報、撮影日時、及び個人情報が含まれており、転送を行う際には、これらの付加情報も含めて転送を行う。これらの付加情報をインターネット等の通信網を用いて転送する事は、必要以上の情報を、不特定多数のユーザーが存在する通信網に流出させる事につながり、セキュリティ上問題が発生する恐れがある。
【００９１】
この様な、情報流出を必要最小限に押さえるために、デジタルカメラに登録された特定の相手以外への転送の際に、撮影画像ファイルに含まれる付加情報を削除した、転送用撮影画像ファイルの作成を行う。
【００９２】
（Ｓ５０３）では、記憶媒体（１３）にて保存されている撮影画像の中から、（Ｓ５０２）にて転送要求が発生した撮影画像ファイルを、付加情報を削除すべく、自身が有する記憶媒体（１３）から読み出し、ネットワーク制御装置用メモリー（１６）上に撮影画像ファイルの複製を行い、転送用画像ファイルの作成を開始する（Ｓ５０４）。
【００９３】
（Ｓ５０５）では、転送要求が発生した画像ファイルを転送する際に、転送相手が付加情報の削除を必要とする相手への転送であるか否かの判定を行う。ここでの判定基準は、「付加情報を削除しない転送先設定画面」に登録されている相手（転送先）か、否かにより判定される。
【００９４】
付加情報を削除しない転送先の登録は、図８に示すように、デジタルカメラが有するユーザーインターフェース装置（液晶パネル、設定ボタン等）を用いて行われる。
【００９５】
（Ｓ５０５）にて、転送先のアドレスが、付加情報を削除しない相手として登録されている場合は、ネットワーク制御装置用メモリー（１６）上の撮影画像ファイルに手を加える事無く、図９のＰＣ１への転送に示すように、撮影画像に手を加える事無く転送を開始する（Ｓ５０７）。
【００９６】
（Ｓ５０５）にて、転送先のアドレスが、付加情報を削除しない相手に登録されていない場合、付加情報の削除を行う（Ｓ５０６）。
【００９７】
（Ｓ５０６）で行う処理を以下に説明する。
【００９８】
デジタルカメラで撮影された撮影画像ファイルの多くは、Ｅｘｉｆ形式で保存され基本的にＪＰＥＧ画像形式と同等のファイル区切り子（以後マーカーと称す）を用いており、画像ファイルの先頭、及び最後のマーカーは、必ず０ｘＦＦＤ８、及び０ｘＦＦＤ９と記述されている。
【００９９】
また、Ｅｘｉｆ形式を用いた画像ファイルは、以下に示すような、タグ番号が複数割り振られており、撮影画像データ以外に様々な付加情報を追加する事が可能になっている。代表的なタグの例を以下に示す。
【外３】
2004343627.tif 000005
【０１００】
ネットワーク制御装置（１５）では、ネットワーク制御装置用メモリー（１６）上の画像ファイル中に保存されている、上記タグで管理される付加情報を削除し、転送用画像ファイルを新規に作成する。
【０１０１】
（Ｓ５０６）にて、付加データの削除を実行し、転送用画像ファイルの作成が完了すると、図９で示すＰＣ３への転送に示すように、記憶媒体に保存されている撮影画像から、画像データ以外の付加情報を削除し、インターネット等の通信網へ、「画像データ」のみで構成される転送用画像ファイルの転送（ダウンロード／アップロード）を開始する（Ｓ５０７）。
【０１０２】
（Ｓ５０７）の撮影画像の転送が終了すると、（Ｓ５０８）に移行し、処理を終了する。
【０１０３】
本実施例では、撮影画像ファイルの保存方式をＥｘｉｆ形式として説明を行ったが、これに限定する事はなく、ＤＣＦ（Ｄｅｓｉｇｎ  ｒｕｌｅ  ｆｏｒ  Ｃａｍｅｒａ  Ｆｉｌｅ  ｓｙｓｔｅｍ）等の、画像データに付加情報を加えて画像ファイルとするファイル保存方式であれば、特に限定はない。
【０１０４】
本実施例の中で、図８に示す、「撮影画像に含まれる付加情報を削除しない転送先設定画面」において、転送先の指定方法を、メールアドレスを用いた指定方法を例にあげたが、これに限定する事はなく、ＩＰアドレス、ＵＲＬ等、特定の個人（特定のアドレス、特定の場所）が限定可能な手段であれば特に限定はない。
【０１０５】
また、「付加情報を削除しない転送先設定画面」での設定は、撮影画像ファイルの転送毎に行う必要は無く、設定内容を、あらかじめデジタルカメラに登録する方法を用いても良く、付加情報を削除しない転送先の設定が確実に行える方法であれば問題はない。
【０１０６】
また、付加情報を削除する際には、実施例２で説明したように、「付加情報の削除設定画面」を用いて、削除する付加情報を選択しても良い。
【０１０７】
【発明の効果】
以上の説明から容易に理解できるように、本願の請求項１に記載した発明によれば、ネットワークに接続可能なデジタルカメラをネットワークに接続し、ネットワーク経由で撮影画像を転送する際、撮影時に自動付加される付加情報を意図的に削除する事で、従来画像ファイルに含まれていた、撮影情報、撮影日時、個人情報等の各種付加情報のネットワークへの流出を未然に防止できる。
【０１０８】
また、本願の請求項２に記載した発明によれば、画像ファイル転送時に、図６に示す様な付加情報の削除設定画面を用いて削除する項目を、ユーザーに設定してもらう事で、ユーザーは、通信網に流出する撮影情報、及び個人情報をコントロールできる。
【０１０９】
また、本願の請求項３に記載した発明によれば、デジタルカメラに登録されたネットワーク上の相手に対してのみ、撮影画像ファイルに含まれる付加情報を削除しない事で、信頼できる（登録された）相手と信頼できない（登録されていない）相手とで、流出する付加情報をユーザーがコントロールできる。
【０１１０】
以上の説明から容易に理解できるように、撮影時に自動的に撮影画像ファイルに付加される、撮影情報、撮影日時、個人情報等を付加された画像ファイルを有するデジタルカメラを、インターネット等の通信網に接続し、ネットワーク経由で画像ファイルを転送する際に、画像ファイルに含まれる付加情報の流出をユーザーが容易にコントロールし、必要以上の撮影情報、個人情報の流出を未然に防止できる。
【０１１１】
この事は、不特定多数のユーザーが利用するインターネット等の通信網にデジタルカメラを接続し、悪意あるユーザーにより、デジタルカメラ内の撮影画像ファイルを無許可でダウンロードされた場合等、撮影画像ファイルに含まれる撮影情報、個人情報等の付加情報も含めて流出する事になり、これらの個人情報等をもとに悪用される事を未然に防止する。
【図面の簡単な説明】
【図１】本実施例の基本的なデジタルカメラ構成一例である。
【図２】本実施例における、概念図の一例である。
【図３】従来の手法における概念図の一例である。
【図４】本件第１の実施例の基本的動作のフローチャートの一例である。
【図５】本件第２の実施例の基本的動作のフローチャートの一例である。
【図６】本件第２の実施例の「付加情報削除設定画面」の一例である。
【図７】本件第２の実施例の概念図の一例である。
【図８】本件第３の実施例の「付加情報を削除しない転送先設定画面」の一例である。
【図９】本件第３の実施例の概念図の一例である。
【符号の説明】
１０  撮像装置
１１  画像処理装置
１２  画像処理用メモリー
１３  記憶媒体
１４  ユーザーインターフェース装置
１５  ネットワーク制御装置
１６  ネットワーク制御装置用メモリー
１７  ネットワーク
１８  ネットワークに接続されたＰＣ１
１９  ネットワークに接続されたＰＣ２
２０  ネットワークに接続されたＰＣ３
【図１】
2004343627.tif 000006
【図２】
2004343627.tif 000007
【図３】
2004343627.tif 000008
【図４】
2004343627.tif 000009
【図５】
2004343627.tif 000010
【図６】
2004343627.tif 000011
【図７】
2004343627.tif 000012
【図８】
2004343627.tif 000013
【図９】
2004343627.tif 000014